(57)【要約】【課題】内部水路を有する水路形成部材としてのヘッド本体と、これを外側から覆うヘッドカバーとを組み付けてシャワーヘッドを構成するに際し、その組付けを容易になし得るようにする。【解決手段】内部水路５２を有する水路形成部材としてのヘッド本体３８と、ヘッド本体３８を外側から覆うヘッドカバー４０とを組み付けて吐水ヘッド３４を構成する。そのためヘッドカバー４０を先端が閉鎖、後端が開放形状の筒状形態に構成してそこにヘッド本体３８を後端から挿入するようになすとともに、それらヘッドカバー４０と吐水ヘッド３４との一方に掛止突起７２を他方に掛止突起７２を弾性的に乗り越えてこれに抜止方向に掛止する掛止爪７４を設けておく。【選択図】        図７
2004150216.tif 000002
【特許請求の範囲】
【請求項１】
先端に吐水口用の開口を有するとともに該吐水口に連続して形成された内部水路を有し、通水管に接続されて該通水管を通じて送られて来た水を、該内部水路を通じて該吐水口に導く水路形成部材としてのヘッド本体と、該ヘッド本体を外側から覆う、該ヘッド本体と別体に形成されたヘッドカバーとを組み付けて成る水栓の吐水ヘッドであって、
前記ヘッドカバーを先端が閉鎖、後端が開放形状の筒状形態に構成して、前記ヘッド本体を該後端の開放部より該ヘッドカバー内部に挿入するようになすとともに、それらヘッドカバーと吐水ヘッドとの一方に掛止突起を、他方に、該吐水ヘッドの該ヘッドカバーへの挿入時に該掛止突起を弾性的に乗り越え且つ乗り越えた後に該掛止突起に対し該吐水ヘッドの抜止方向に掛止する掛止爪を設けたことを特徴とする水栓の吐水ヘッド。
【請求項２】
請求項１において、前記ヘッド本体とヘッドカバーとの一方に、該ヘッド本体の該ヘッドカバーへの挿入状態で弾性変形して、該ヘッド本体を後退方向且つ前記掛止突起と掛止爪とを掛止側に押圧状態に付勢する押圧ばねを、他方に、該押圧ばねを当接させて撓ませる当接部を設けてあることを特徴とする水栓の吐水ヘッド。
【請求項３】
請求項１，２の何れかにおいて、前記ヘッド本体とヘッドカバーとの一方に、該ヘッド本体の該ヘッドカバーに対する組付姿勢を規制する突起を、他方に該突起を当接させる被当接部を設け、前記ヘッド本体の前記ヘッドカバーへの挿入状態でそれら当接部と被当接部とを互いに当接させるようになしたことを特徴とする水栓の吐水ヘッド。
【請求項４】
請求項１〜３の何れかにおいて、前記ヘッド本体とヘッドカバーとの一方に、該ヘッド本体の挿入時に挿入案内をなすガイド溝を、他方に該ガイド溝に対して挿入方向に摺動可能に嵌入する突起が設けてあることを特徴とする水栓の吐水ヘッド。
【請求項５】
請求項１〜４の何れかにおいて、前記吐水ヘッドがシャワーヘッドであり、前記通水管が該シャワーヘッドとともに引出可能なシャワーホースであることを特徴とする水栓の吐水ヘッド。
【発明の詳細な説明】
【０００１】
【発明の属する技術分野】
この発明は水栓の吐水ヘッドに関し、詳しくはヘッド本体の組付構造に特徴を有するものに関する。
【０００２】
【従来の技術】
従来、吐水口を備えてその吐水口からの吐水を行うシャワーヘッド（吐水ヘッド）を、これに接続したシャワーホース（通水管）とともに引出可能となした水栓が洗髪洗面用水栓，キッチン用水栓等として広く用いられている。
従来これらの水栓は、通常洗面ボウルやシンク等より奥部の水平な取付面から起立する状態で設けられている。
【０００３】
図１２はこの種水栓の従来の一例を示している。
同図において２００は取付基体としてのカウンターで、このカウンター２００に対し、水栓本体２０２と吐水部２０４とが離隔した位置において取付固定されている。
水栓本体２０２には水，湯のサプライ管２０６が接続されており、それらサプライ管２０６を通じて水栓本体２０２に水と湯とが供給される。
【０００４】
水栓本体２０２は、供給された水と湯とをハンドル２０８の操作に基づいて所定比率で混合し、その混合水を流出管２１０を通じて外部に流出する。
この流出管２１０には可撓性のシャワーホース２１２が接続されており、混合水がこのシャワーホース２１２を通じて後述のシャワーヘッド（吐水ヘッド）２１４に送られる。
【０００５】
吐水部２０４はこのシャワーヘッド２１４と、これを保持する管状且つ湾曲形状のヘッドホルダ２１６とを有している。
このヘッドホルダ２１６にはスライド管２１８が一体的に昇降する状態で連結されており、このスライド管２１８が、外周面に雄ねじを有するガイド管２２０内にスライド可能に挿通されている。
【０００６】
シャワーヘッド２１４は下面に吐水口２２２を備え、またその前面には吐水口２２２からの吐水を整流吐水からシャワー吐水に若しくはその逆に切り替える切替操作部２２４を備えている。
このシャワーヘッド２１４には、スライド管２１８，ヘッドホルダ２１６内を挿通したシャワーホース２１２の先端部が接続されており、シャワーヘッド２１４がこのシャワーホース２１２とともにヘッドホルダ２１６から引出可能とされている。
【０００７】
従来この種の水栓のシャワーヘッドは、例えば下記特許文献１に開示されているように、内部水路を有する水路形成部材としてのヘッド本体がそのまま外観に現れ、かかるヘッド本体が化粧部材も兼ねて構成されていた。
【０００８】
図１３は下記特許文献１に開示されたシャワーヘッドを示したもので、図示のようにここでは内部水路２２６を備えたヘッド本体２２８がそのまま外観部材を成しており、そこにシャワーホース２１２の先端部が接続されるようになっている。
【０００９】
これに対し、シャワーヘッドを水路形成部材としてのヘッド本体とヘッドカバーとに分け、それらを組み付けてシャワーヘッドを構成するようになしたものも従来用いられている。
図１４はその具体例を示している。
【００１０】
同図において、２２８はシャワーヘッド２１４における吐水ヘッドで、２３０は化粧部材としてのヘッドカバーである。
ヘッドカバー２３０には、図１４に要部を拡大して示しているように一対の円筒形状のボス部２３２が設けられており、それらボス部２３２の中心孔が雌ねじ孔として形成されている。
【００１１】
一方ヘッド本体２２８には固定片２３４が設けられており、その固定片２３４に形成された挿通孔を通じて、固定ねじ２３６がボス部２３２の雌ねじ孔にねじ込まれることで、それらヘッド本体２２８とヘッドカバー２３０とが組み付けられるようになっている。
【００１２】
【特許文献１】
特開２００１−３１１１８８号公報
【００１３】
【発明が解決しようとする課題】
しかしながらこの組付構造の場合、吐水ヘッド２１４をシャワーホースとともに出し入れする際に手に持ち易く長いものとしたとき、これに伴ってボス部２３２も長いものとなってしまう。
【００１４】
而してボス部２３２が長くなると、固定ねじ２３６をねじ込む雌ねじ孔が奥深いものとなってしまい、かかるヘッド本体２２８及びボス部２３２を樹脂成形型を用いて樹脂成形したとき、雌ねじ孔を形成するための樹脂成形型の成形ピンが長いものとなってしまう。この場合成形ピンが強度的に耐えられないものとなって、実際上そのような長いボス部２３２を成形することができないといった問題が生ずる。
【００１５】
更にボス部２３２をそのような長いものとしたとき、ヘッド本体２２８とヘッドカバー２３０とを組み付ける際、長い固定ねじ２３６を何回も回転操作してねじ結合作業しなければならず、作業が非常に面倒なものとなるとともに、それらボス部２３２がヘッドカバー２３０内で広いスペースを占有してしまい、また内部構造も複雑化するといった問題を生ずる。
【００１６】
以上シャワーヘッドを例として述べたが、このような問題は単に整流吐水を行う吐水ヘッド或いは剛性のパイプから成る通水管に接続される吐水ヘッド等においても共通して生じ得る問題である。
【００１７】
【課題を解決するための手段】
本発明の水栓の吐水ヘッドはこのような課題を解決するために案出されたものである。
而して請求項１のものは、先端に吐水口用の開口を有するとともに該吐水口に連続して形成された内部水路を有し、通水管に接続されて該通水管を通じて送られて来た水を、該内部水路を通じて該吐水口に導く水路形成部材としてのヘッド本体と、該ヘッド本体を外側から覆う、該ヘッド本体と別体に形成されたヘッドカバーとを組み付けて成る水栓の吐水ヘッドであって、前記ヘッドカバーを先端が閉鎖、後端が開放形状の筒状形態に構成して、前記ヘッド本体を該後端の開放部より該ヘッドカバー内部に挿入するようになすとともに、それらヘッドカバーと吐水ヘッドとの一方に掛止突起を、他方に、該吐水ヘッドの該ヘッドカバーへの挿入時に該掛止突起を弾性的に乗り越え且つ乗り越えた後に該掛止突起に対し該吐水ヘッドの抜止方向に掛止する掛止爪を設けたことを特徴とする。
【００１８】
請求項２のものは、請求項１において、前記ヘッド本体とヘッドカバーとの一方に、該ヘッド本体の該ヘッドカバーへの挿入状態で弾性変形して、該ヘッド本体を後退方向且つ前記掛止突起と掛止爪とを掛止側に押圧状態に付勢する押圧ばねを、他方に、該押圧ばねを当接させて撓ませる当接部を設けてあることを特徴とする。
【００１９】
請求項３のものは、請求項１，２の何れかにおいて、前記ヘッド本体とヘッドカバーとの一方に、該ヘッド本体の該ヘッドカバーに対する組付姿勢を規制する突起を、他方に該突起を当接させる被当接部を設け、前記ヘッド本体の前記ヘッドカバーへの挿入状態でそれら当接部と被当接部とを互いに当接させるようになしたことを特徴とする。
【００２０】
請求項４のものは、請求項１〜３の何れかにおいて、前記ヘッド本体とヘッドカバーとの一方に、該ヘッド本体の挿入時に挿入案内をなすガイド溝を、他方に該ガイド溝に対して挿入方向に摺動可能に嵌入する突起が設けてあることを特徴とする。
【００２１】
請求項５のものは、請求項１〜４の何れかにおいて、前記吐水ヘッドがシャワーヘッドであり、前記通水管が該シャワーヘッドとともに引出可能なシャワーホースであることを特徴とする。
【００２２】
【作用及び発明の効果】
以上のように本発明は、ヘッドカバーを先端が閉鎖、後端が開放形状の筒状形態に構成して、そこにヘッド本体を後端の開放部から挿入するようになすとともに、それらの一方に掛止突起を、他方にその掛止突起を挿入時に弾性的に乗り越えて抜止方向に掛止する掛止爪を設けたもので、本発明の吐水ヘッドの場合、単にヘッド本体をヘッドカバーに挿入するだけで、簡単にヘッド本体とヘッドカバーとを組み付けることができる。
【００２３】
また本発明によれば、図１４に示した組付構造のように中心に雌ねじ孔を有する長いボス部をヘッドカバーに設ける必要がないので、そのようなボス部を設けることによって生ずる上記した問題を解決することができる。
【００２４】
ここで掛止爪と掛止突起とは、ヘッドカバーにおける下面の吐水口形成のための開口の近傍に配置しておくことが望ましい。
このようにしておけば、吐水ヘッドをヘッドカバーから抜き出す際に、その吐水口形成のための開口を通じて容易に掛止解除することができる。
【００２５】
請求項２は、ヘッド本体とヘッドカバーとの一方に、ヘッド本体の挿入状態で弾性変形してヘッド本体を後退方向且つ掛止突起と掛止爪とを掛止させる側に押圧し付勢する押圧ばねを、他方にその掛止爪を当接させて弾性変形させる当接部を設けたもので、このようになしておくことで、ヘッドカバーに対しヘッド本体を挿入した後、押圧ばねの弾発力によりヘッド本体が前後方向、即ち挿入方向及び後退方向に拘束された状態となって、ヘッドカバー内でヘッド本体が前後方向にがたつくのが良好に防止される。
【００２６】
請求項３は、ヘッド本体とヘッドカバーとの一方に、ヘッドカバーに対するヘッド本体の組付姿勢を規制する突起を、他方にその突起を当接させる被当接部を設けたもので、このようにしておけば、ヘッドカバーに対しヘッド本体を正しい組付姿勢でがたつき防止しつつ組み付けることができる。
【００２７】
本発明においては、ヘッド本体とヘッドカバーとの一方に、ヘッド本体の挿入時に挿入案内をなすガイド溝を、他方にそのガイド溝に摺動可能に嵌入する突起を設けておくことが望ましい（請求項４）。
このようにしておけば、ヘッドカバーに対しヘッド本体を挿入して組み付ける際、その挿入を適正に且つ円滑に行うことができる。
【００２８】
本発明は特に吐水ヘッドとしてのシャワーヘッド、即ち通水管としてのシャワーホースとともに引出可能なシャワーヘッドに適用して好適である（請求項５）。
【００２９】
【実施例】
次に本発明を、洗面化粧台に設置される洗髪洗面用水栓に適用した場合の実施例を図面に基づいて詳しく説明する。
図１及び図２において、１０は洗面化粧台で洗面器１２とその下側のキャビネット１４と、洗面器１２の後部において垂直に立ち上がる取付壁１６とを有している。
ここで洗面器１２と取付壁１６とは樹脂製で、取付壁１６はこの洗面器１２に一体に成形されている。
そしてその取付壁１６の前面の垂直な壁面を取付面として、本例の水栓１８が取り付けられている。
【００３０】
本例の水栓１８はシングルレバー式の混合水栓であって、図３に示しているように左右に離隔して取付壁１６に取り付けられた水栓本体２０と、吐水管状の吐水部２２とを有している。
水栓本体２０は取付壁１６の前面の壁面からほぼ水平に前方に突き出しており、その前部にレバー式のハンドル２４が設けられている。
【００３１】
ハンドル２４は下向きに垂下する主操作部としてのレバー部２６を有しており、またその上部には副操作部２８が設けられている。
この水栓１８では、ハンドル２４を使用者から見て左右に回動操作することで吐水の温度調節が行われ、またレバー部２６を持ってハンドル２４を前後回動操作することで吐止水及び吐水の水量調節が行われる。
【００３２】
詳しくは、図５に示すようにこの例ではレバー部２６を使用者側の前方に引くことで吐水が開始され或いは吐水の水量が増大する。また逆にレバー部２６を後方に押すことで水量の減少及び止水が行われる。
但し本例のハンドル２４の場合、その上部に副操作部２８が設けられていて、この副操作部２８を押動操作することによっても吐水開始操作或いは水量増大操作を行い得るようになっている。
ここで副操作部２８には滑止めのため、即ち操作力を効率的にハンドル２４に伝えるための複数の突起３０が設けられている。
【００３３】
一方、上記吐水管状の吐水部２２は前後方向の略中間位置で前後に２分割されており、先端側が下面に吐水口３２を有するシャワーヘッド（吐水ヘッド）３４として、また基端側がこれを保持するヘッドホルダ３６として構成されている。
【００３４】
図６に示しているように、シャワーヘッド３４はヘッド本体３８と、ヘッドカバー４０とを有しており、それらを組み付けて構成してある。
一方基端側のヘッドホルダ３６は筒状をなしており、そこに可撓性のホース４２が挿通されている。
【００３５】
ホース４２は、このヘッドホルダ３６先端部の筒状のホースガイド４４を更に挿通して、その先端部がシャワーヘッド３４、詳しくはヘッドカバー４０内部のヘッド本体３８に接続されている。
シャワーヘッド３４は、図４に示すようにこのホース４２の可撓性に基づいてヘッドホルダ３６からホース４２とともに引出可能とされている。
【００３６】
図１に示しているように、取付壁１６の裏側には水，湯のサプライ管４６が配管されていて、それらの上端部が水栓本体２０に接続され、水，湯がそれらサプライ管４６を通じて水栓本体２０へと供給されるようになっている。
【００３７】
水栓本体２０に供給された水，湯はそこで所定比率に混合され、その混合水が取付壁１６裏側の流出管４８を通じて流出する。
そしてその流出管４８に接続された可撓性のホース４２を通じて上記の吐水部２２、詳しくは先端側のシャワーヘッド３４へと導かれる。
【００３８】
図６に示しているように、ヘッド本体３８は先端に吐水口用の開口５０を、またこの吐水口用の開口５０に続いて内部水路５２を有しており、シャワーホース４２を通じて送られて来た水（混合水，湯を含む）が、この内部水路５２を通じて吐水口用の開口５０に導かれ、更に吐水口３２から下向きに吐水される。
【００３９】
一方ヘッドカバー４０は、前端壁５３を有する筒状形態で形成されている。
詳しくはこのヘッドカバー４０は前端が閉鎖、後端が開放形状の筒形状をなしており、その後端の開放部からヘッド本体３８が内部に挿入されて組み付けられている。
【００４０】
ヘッドカバー４０の先端部下面には吐水口形成用の開口５４が形成されており、その吐水口形成用の開口５４において筒状の吐水口部材５６が装着されている。
ここで吐水口部材５６は、ヘッド本体３８に設けられた雌ねじ筒５８に止ビス６０をねじ込むことによって、開口５４内に嵌り込む状態でヘッド本体３８に固定されている。
【００４１】
この吐水口部材５６の下面にはシャワー孔６２が中心回りに多重円をなすように配置されており、シャワーホース４２を通じて送られて来た水が、これらシャワー孔６２から下方にシャワー水として噴射されるようになっている。
【００４２】
図７〜図１０に、シャワーヘッド３４におけるヘッド本体３８とヘッドカバー４０との組付構造が詳しく示してある。
図８（Ａ）に示しているように、ヘッドカバー４０の上部内面には一対の溝形成板６６が下向きに突き出す状態で前後方向に平行に設けられており、それら溝形成板６６によって、内側に前後方向に延びるガイド溝６８が形成されている。
【００４３】
一方ヘッド本体３８には、ガイド溝６８に対応する位置において前後方向に延びる板状のガイド突条７０が上向きに突出する状態で設けられている。
ヘッド本体３８は、ヘッドカバー４０への挿入時にこの突条７０がガイド溝６８内に嵌入し且つ前後に摺動することによって、ヘッドカバー４０への挿入時の挿入案内がなされる。
【００４４】
図７に示しているように、ヘッドカバー４０の下部には掛止突起７２が上向きに突出形成されている。
一方ヘッド本体３８の対応する位置には、ヘッド本体３８の挿入時にこの掛止突起７２を弾性的に乗り越えた上で、その掛止突起７２に対し抜止方向に掛止する弾性を有する掛止爪７４が形成されており、それら掛止突起７２と掛止爪７４との掛止作用に基づいて、ヘッドカバー４０に挿入されたヘッド本体３８が、ヘッドカバー４０から抜止めされるようになっている。
【００４５】
このヘッド本体３８にはまた、その前端部に押圧ばね片７６が一体に成形されており、ヘッド本体３８の挿入完了状態で、この押圧ばね片７６がヘッドカバー４０の前端壁５３に当接して弾性変形し、ヘッド本体３８を図中右向き、即ちヘッド本体３０の挿入方向とは反対の後退方向に付勢している。
即ちここでは前端壁５３が、押圧ばね片７６を当接させる当接部となっている。
【００４６】
そしてその付勢力によって掛止突起７２と掛止爪７４とが強固な掛止状態に保持され、これによりヘッド本体３８が図７中前後方向にがたつきなくしっかりと保持されている。
【００４７】
ヘッド本体３８にはまた、ヘッドカバー４０内においてヘッド本体３８の姿勢を予め定めた姿勢に規制するための多数の姿勢規制用の突起が設けられている。
即ち、ヘッド本体３８における前部の大径部７８の縁部には下向きの突起８０と両側面に左右一対の突起８３（図８（Ａ）参照）が、また挿入案内用の突条７０に前後一対の突起８２が、また図７，図９，図１０に示すように基端側のフランジ部８４の外周部に沿って複数の突起８６がそれぞれ形成されており、各突起８０，８２，８３，８６が、それぞれヘッドカバー４０の内面にそれぞれ当接するようになっている。即ちここではヘッドカバー４０の内面の各部が、それら突起を当接させる被当接部として構成されている。
【００４８】
そして本例では、これら突起８０，８２，８３，８６のヘッドカバー４０内面への当接作用によって、更には各突起８０，８２，８３，８６が永久変形することによって、ヘッドカバー４０内部に挿入されたヘッド本体３８の姿勢が予め定めた正しい姿勢に拘束保持される。
【００４９】
尚、図７に示しているように上記掛止突起７２及び掛止爪７４は、ヘッドカバー４０における開口５４の近傍に配置されており、ヘッドカバー４０に組み付けられたヘッド本体３８を、ヘッドカバー４０から取り出す際には、その開口５４からドライバ等の工具を差し込んで、弾性を有する掛止爪７４を上向きに押し上げ、掛止突起７２に対する掛止を解除することで、ヘッド本体３８をヘッドカバー４０から容易に抜き出すことができる。
【００５０】
本例の吐水ヘッドの場合、ヘッドカバー４０に対しヘッド本体３８をその後端の開放部から前方に押し込んで挿入するだけで、簡単にヘッド本体３８をヘッドカバー４０に組み付けることができる。
【００５１】
即ち図１１に示しているようにヘッド本体３８をヘッドカバー４０の後端の開放部から挿入すると、あるところでヘッド本体３８の掛止爪７４が、ヘッドカバー４０の掛止突起７２を弾性的に乗り越え、そして乗り越えた先で掛止爪７４が掛止突起７２に掛止した状態となって、ヘッド本体３８がヘッドカバー４０から後退方向に抜止めされる。
【００５２】
尚このとき、図７に示しているようにヘッド本体３８の前端部の押圧ばね片７６が、ヘッドカバー４０の前端壁５３に当接して弾性変形し、弾発力を貯えた状態となる。
そしてその弾発力によって、ヘッド本体３８が図７中右向きに付勢され、その付勢力によって掛止爪７４と掛止突起７２とが強固に掛止した状態となる。
【００５３】
更にこのとき、ヘッド本体３８に設けた多数の突起８０，８２，８３，８６が、ヘッドカバー４０の内面に当接した状態となって、それら突起の作用によりヘッド本体３８が正しい組付姿勢に姿勢規制される。
【００５４】
また本例では、図１４に示した組付構造のように中心に雌ねじ孔を有する長いボス部をヘッドカバー４０に設ける必要がないので、そのようなボス部を設けることによって生ずる問題を解決することができる。
【００５５】
以上本発明の実施例を詳述したがこれはあくまで一例示である。
例えば本発明は、吐水口からの吐水をシャワー吐水ではなく１本の整流束として吐水する吐水ヘッドに適用することも可能であるし、或いはまたパイプから成る通水管に対し接続される吐水ヘッドへの適用も可能であるし、或いは洗面化粧台用の水栓以外の他の様々な水栓への適用も可能であるなど、本発明はその趣旨を逸脱しない範囲において種々変更を加えた形態で構成可能である。
【図面の簡単な説明】
【図１】本発明の一実施例である吐水ヘッドを含む水栓を洗面化粧台に取り付けた状態でこれを裏側から示す図である。
【図２】図１の洗面化粧台の要部断面図である。
【図３】同実施例の吐水ヘッドを含む水栓を取付状態において正面から見た図である。
【図４】図３の水栓の一作用状態を示す図である。
【図５】図３の水栓本体をハンドルとともに示す図である。
【図６】図３の吐水部の縦断面図である。
【図７】同実施例の吐水ヘッドの縦断面図である。
【図８】（Ａ）：同実施例の吐水ヘッドの横断面図である。
（Ｂ）：（Ａ）とは異なった位置の横断面図である。
【図９】同実施例の吐水ヘッドにおけるヘッド本体の斜視図である。
【図１０】同実施例の吐水ヘッドにおけるヘッド本体の平面図及び正面図である。
【図１１】同実施例の吐水ヘッドの組付方法の説明図である。
【図１２】従来の吐水ヘッドを含む水栓をカウンターに取り付けた状態の図である。
【図１３】従来公知の吐水ヘッドの部分の要部を示した図である。
【図１４】従来用いられている、吐水ヘッドがヘッド本体とヘッドカバーとの組付構造から成るものを示した図である。
【符号の説明】
１８  水栓
３２  吐水口
３４  シャワーヘッド（吐水ヘッド）
３８  ヘッド本体
４０  ヘッドカバー
４２  ホース
５２  内部通路
５３  前端壁
６８  ガイド溝
７０  突条
７２  掛止突起
７４  掛止爪
７６  押圧ばね片
８０，８２，８３，８６  突起
【図１】
2004150216.tif 000003
【図２】
2004150216.tif 000004
【図３】
2004150216.tif 000005
【図４】
2004150216.tif 000006
【図５】
2004150216.tif 000007
【図６】
2004150216.tif 000008
【図７】
2004150216.tif 000009
【図８】
2004150216.tif 000010
【図９】
2004150216.tif 000011
【図１０】
2004150216.tif 000012
【図１１】
2004150216.tif 000013
【図１２】
2004150216.tif 000014
【図１３】
2004150216.tif 000015
【図１４】
2004150216.tif 000016